(57)【特許請求の範囲】
【請求項１】
外装材とその肌面側で幅方向中央に配される中央吸収体を有する吸収性本体とを備え、長手方向に腹側部、股下部及び背側部に区分され、腹側部及び背側部の両側縁部同士が接合されて一対のサイドシール部、ウエスト開口部及び一対のレッグ開口部が形成されるパンツ型吸収性物品であって、
前記腹側部のウエスト開口部とレッグ開口部との間には、着用時に着用者の腸骨稜を覆う腸骨稜領域があり、
前記パンツ型吸収性物品の左右両側のそれぞれにおいて、前記腹側部の側縁部又はその周辺の前記腸骨稜領域より上方から前記腸骨稜領域を通り前記股下部に至る前側弾性部材と、前記背側部の側縁部又はその周辺から前記股下部に至る後側弾性部材とを有し、前記前側弾性部材の腹側部側の端部と前記後側弾性部材の背側部側の端部とが前記サイドシール部で連接され、前記前側弾性部材及び前記後側弾性部材の股下部側の端部が交差部を形成し、前記前側弾性部材と前記後側弾性部材とで環状弾性帯をなしており、
前記股下部における前側弾性部材及び後側弾性部材は、前記中央吸収体の側縁外方において該中央吸収体の側縁と略平行に、長手方向に沿って配設され、
前記股下部における吸収性本体の両側部には中央吸収体が配されない側方領域を備え、前記前側弾性部材及び前記後側弾性部材は、前記吸収性本体とは平面視において重なり、前記中央吸収体とは平面視において重ならずに前記側方領域を通って配置されているパンツ型吸収性物品。
【請求項２】
前記後側弾性部材は、前記股下部の腹側部寄りにまで至る請求項１記載のパンツ型吸収性物品。
【請求項３】
前記パンツ型吸収性物品の着用時に前記吸収性本体の両側縁部が肌当接面側に隆起する請求項１又は２に記載のパンツ型吸収性物品。
【請求項４】
前記吸収性本体は、前記中央吸収体と幅方向両側外方に少なくとも一部離間して配置される側部吸収体を有する請求項１〜３のいずれか１項に記載のパンツ型吸収性物品。
【請求項５】
前記側部吸収体に前記後側弾性部材が平面視において重なる請求項４記載のパンツ型吸収性物品。
【発明の詳細な説明】
【技術分野】
【０００１】
本発明は、使い捨ておむつ等のパンツ型吸収性物品に関する。
【背景技術】
【０００２】
使い捨ておむつ等の吸収性物品については、各部材の材料や構造が改良され、その機能や着用感の向上が図られてきた。その１つとして、使い捨ておむつに弾性部材を配し、漏れの抑制やフィット性を向上させる工夫がなされ、最近では使用状況や物品の種類に応じた高機能のものも提案されている。
【０００３】
例えば、おむつの前身頃及び後身頃のそれぞれにおいて、一方の側接合縁から股下へ延び股下側を横断して他方の側接合縁に達するＵ字状の湾曲弾性部材が配されたパンツ型使い捨ておむつが開示されている（特許文献１参照）。また、ウエスト開口部縁から股下を横断してＶ字状に配される装着用第１弾性部材とそれよりやや下の接合縁部から股下を横断してＶ字状に配される装着用第２弾性部材とを前身頃及び後身頃のそれぞれに有するパンツ型使い捨ておむつが開示されている（特許文献２参照）。これらのおむつにおいては、ウエスト開口部から股下部までのＵ字状又はＶ字状の弾性部材によって、この前身頃及び後身頃をそれぞれ独立に股下部から身丈方向に引き上げ、ズレ落ち防止、体へのフィット性及びはき易さの向上が図られるとされる。
【先行技術文献】
【特許文献】
【０００４】
【特許文献１】特開２００６−４３４１５号公報
【特許文献２】特開２００６−２７１４５４号公報
【発明の概要】
【発明が解決しようとする課題】
【０００５】
使い捨ておむつに代表されるこの種の吸収性物品は、吸収体において尿などの排泄物が吸収されることによりその重量が増え、その重量が股下方向への負荷となっておむつ全体を引き下げようとする。特に成人用おむつにおいては、着用者の排泄物の量も多く、また尿とりパッドを重ねて使用することもあり、おむつの股下方向に働く力が幼児用に比べて大きくなる。乳幼児用おむつのおいても、着用者の月齢や体格によっては排泄物の量が多くなることもある。このように使用状況や着用者の体格等によっておむつのズレ落ち易さの程度は様々であるが、この尿などの排泄物が吸収されることによりその重量が増え、股下方向への負荷となることによるおむつのズレ落ちの問題はおむつの本来の機能から無視できない。
通常、このようなズレ落ちに対しては、使用時の重量を考量して胴回りの周方向の締め付け力や足周りの締め付け力によって調節される。前記の特許文献に記載のおむつにおいても、股下の重さがウエスト付近に直接伝わり易いため胴回りの締め付け強化など何らかの支えが必要となる。しかし、胴回りや足回りへの締め付け力を同時に大きくすると、使用者の体型によっては使用の初期から胴回りへの圧迫感が感じられることもある。
また、着用者の体型によっては、おむつ装着時に吸収体の側縁が大腿部内側にあたって引き上げ難かったり捲れが生じたりすることがある。これでは吸収体が体に密着せず、装着後に排泄物の横漏れが生じかねない。さらに、着用者が寝たきりの状態にある場合、臀部の丸み部分でおむつが押されて股下から背側にかけて隙間が生じ易くなり、その隙間から液漏れが生じかねない。この点は、寝返りを打つ際の体勢の変化などの場合にも同様である。できるだけ、吸収体の股下付近を体に沿うようにフィットさせて、体の動きに合わせて追従させるようにしたい。
【０００６】
上記の観点から、着用時には吸収体側部が容易に体にフィットし、かつ着用後の排泄後にも着用者の胴回りや足回りを強く締め付けなくても股下方向への力にも適応してズレ落ちを効果的に防止し、おむつの体への良好な追従性と漏れ防止性を維持することができるパンツ型吸収性物品の提供を課題とする。
【課題を解決するための手段】
【０００７】
本発明は、外装材とその肌面側で幅方向中央に配される中央吸収体を有する吸収性本体とを備え、長手方向に腹側部、股下部及び背側部に区分され、腹側部及び背側部の両側縁部同士が接合されて一対のサイドシール部、ウエスト開口部及び一対のレッグ開口部が形成されるパンツ型吸収性物品であって、前記腹側部のウエスト開口部とレッグ開口部との間には、着用時に着用者の腸骨稜を覆う腹側腸骨稜領域があり、前記腹側部の側縁部又はその周辺の前記腹側腸骨稜領域より上方から前記腸骨稜領域を通り前記股下部に至る前側弾性部材と、前記背側部の側縁部又はその周辺から前記股下部に至る後側弾性部材とを有し、前記腹側部及び前記背側部の側縁部は、前記前側弾性部材と前記後側弾性部材とが連接されるよう前記サイドシール部で接合されており、前記股下部における前側弾性部材及び後側弾性部材は、前記中央吸収体に対し、その側縁外方において長手方向に沿って配設されるパンツ型吸収性物品を提供することにより上記課題を解決するものである。
【発明の効果】
【０００８】
本発明のパンツ型吸収性物品は、着用時には吸収体側部が容易に体にフィットし、かつ着用後の排泄後にも着用者の胴回りや足回りを強く締め付けなくても股下方向への力にも適応してズレ落ちを効果的に防止し、おむつの体への良好な追従性と漏れ防止性を維持することができるという優れた作用効果を奏する。
【図面の簡単な説明】
【０００９】
【図１】本発明における第１の実施形態としてのパンツ型の使い捨ておむつ１０を概ね着用状態の形状として腹側のやや着用者左側上方からみて模式的に示した斜視図である。
【図２】図１に示すパンツ型おむつの展開かつ伸張状態を肌面側から模式的に示す一部切欠展開平面図である。
【図３】図２のＩＩＩ―ＩＩＩ線に沿った拡大断面図である。
【図４】腸骨の形状を模式的に示す説明図である。
【図５】腸骨稜領域の人体に対する位置関係を説明するための人体の側面図である。
【図６】本実施形態のパンツ型おむつを着用した着用者の状態を模式的に示した説明図であり、（ａ）はその正面図であり、（ｂ）は左側面図である。
【図７】本実施形態のパンツ型使い捨ておむつの股下部分を背側のやや左斜めより模式的に示した説明図である。
【図８】本発明における第２実施形態としての別のパンツ型の使い捨ておむつを模式的に示した展開平面図である。
【発明を実施するための形態】
【００１０】
以下、本発明の好ましい実施形態である成人用パンツ型使い捨ておむつについて詳細に説明する。
図１は、本発明における第１の実施形態としてのパンツ型の使い捨ておむつ１０を概ね着用状態の形状として着用者の腹側のやや左側上方からみて模式的に示した斜視図である。図２は図１に示すパンツ型おむつの展開かつ伸張状態を肌面側から模式的に示す一部切欠展開平面図である。図３は図２のＩＩＩ―ＩＩＩ線に沿った拡大断面図である。
【００１１】
本実施形態のパンツ型使い捨ておむつ１０は、外装材２とその肌面側で幅方向中央に配される中央吸収体３１を有する吸収性本体３とを備えている。おむつ１０は、図２に示すとおり、その展開状態で長手方向（Ｙ方向）に着用者の腹側に配される腹側部Ｆと背側に配される背側部Ｒとその間に位置する股下部Ｃとに区分される。また外装体２は、その長手方向中央の両側縁が幅方向（Ｘ方向）内方に括れた略砂時計形状であり、おむつ１０の外形となる。このおむつ１０は、展開した状態から股下部Ｃのおむつの長手方向中央線ＣＬ付近で折りたたまれて外装体２の腹側部Ｆの両側部２５，２５と背側頃Ｒの両側部の両側部２６，２６とが接合されることにより、着用時の形状でウエスト開口部１１と一対のレッグ開口部１２とが形成される（図１参照）。両側部２５と２６との接合部分は、ウエスト開口部１１からレッグ開口部１２にかけて着用者の背丈方向に延びて接合されるサイドシール部７となる（図１参照）。サイドシール部７の接合には例えばヒートシール、高周波シール、超音波シール等が用いられる。
【００１２】
吸収性本体３は、液透過性の表面シート３２、液不透過性又は撥水性の裏面シート３３及び両シート間に介在配置される中央吸収体３１を有しており、実質的に縦長の形状である。吸収性本体３は、外装体の肌面側において、その長手方向をおむつの長手方向（Ｙ方向）に向け、外装体３の股下部Ｃを中心に腹側部Ｆ及び背側部Ｒへ亘って配設され固定されている。その固定方法としては、例えば接着剤、ヒートシール、超音波シール等による方法が用いられる。中央吸収体３１は、平面視において股下部Ｃに位置する部分に括れ部を有し、かつ、複数の切れ込み形状を有した左右対称な形状である。少なくとも股下部Ｃにおいては、吸収性本体３の両側部には中央吸収体３１が配されない側方領域３７，３７があり、本実施形態においては、側方領域３７，３７は腹側部Ｆと背側部Ｒそれぞれにまで延在している。本発明において、中央吸収体３１とは着用者の尿排泄対応領域３９ａ，３９ｂ（男性の場合は領域３９ａ、女性の場合は領域３９ｂ）から排便対応領域３９ｃを覆っておむつの液吸収保持機能の主たる部分を担う吸収体のことである。例えば、中央吸収体３１には、横漏れ防止のために吸収性本体の側縁に配される別体の、あるいは部分的に連続した補助的吸収体などは含まれない。また、本発明の中央吸収体３の形状は本実施形態のものに限定されるものではなく、長方形や砂時計状、その他の形状でもよい。
【００１３】
表面シート３２の肌当接面側の両側部には、サイドシート４が吸収性本体３の長手方向に沿うように配されている（図２参照）。サイドシート４は中央吸収体３１の幅方向外方に延出してその非肌当接面側に捲き下げられ、中央吸収体３１と裏面シート３３との間又は裏面シート３３と外装体２との間に固定されている（図３参照）。サイドシート４の幅方向内方の端縁は、表面シート３２に固着されない一対の自由端４１となり、その端部を折り返した内部に防漏カフ用弾性部材４２を有する。おむつの着用状態において、防漏カフ用弾性部材４２の収縮により自由端４１，４１が起立して防漏カフとなりポケットｐが形成され、液等の横モレを防ぐ効果を有する（図３参照）。
【００１４】
図２に示すとおり、サイドシール部で展開したおむつ１０において、外装体２が砂時計形状とされ吸収性本体３を中央に覆うようにして配置されている。外装体２は、肌面側の内層シート２１と非肌面側の外層シート２２とからなり、両シート間には、図示しないが、ウエスト開口部１１の近傍の縁部のウエスト弾性部材及びこれより股下側に位置する胴回り弾性部材が複数本幅方向（Ｘ方向）に伸長状態で挟持され固定されている。これらの組立て状態で環状になる弾性部材により、おむつ１０は着用者の胴回りを適度に締め付け良好なフィット性を示す。また、レッグ開口部１２の縁部近傍には左右一対のレッグ弾性部材５３が複数本（図中では３本ずつ）配設され、着用者の足の付け根回りをバランス良く適度に締め付けて良好な装着性とこの部分からの液等の漏れ防止性とを発揮する。
【００１５】
上記表面シート３２、外装体２、及び吸収性本体３の材料等に関する詳細は後述するが、本実施形態において表面シート３２は、排泄された体液を速やかに透過し、吸収体に伝達する観点と、肌触りのよさの観点から親水性のエアスルー不織布を用いている。また、裏面シート３３には、液不透過性で且つ水蒸気の透過性を有する多孔質フィルムを用いている。外装体２としては、肌面側の内層不織布２１と非肌面側の外層不織布２２とからなり実質的に液不透過性で且つ通気性及び水蒸気の透過性を有する構造とされている。中央吸収体３１としてはパルプ繊維やこれに吸収性ポリマー等を含有した集合体をコアラップシート（図示せず）被覆したものを用いている。本実施形態のパンツ型おむつ１０は、その表面シート３２側を着用者の肌当接面に向け、かつ、その長手方向を下腹部から臀部にかけて配し、その幅方向を左右の足をつなぐラインの方向に向けて配している。
【００１６】
本発明においては、特に断らない限り、人体に接触する側を肌面側ないし肌当接面側あるいは表面側といい、これと反対側を非肌面側ないし非肌当接面側あるいは裏面側という。着用時に人体の前側に位置する方向を前方といいその端部を前端部とし、後側に位置する方向を後方といいその端部を後端部として説明する。吸収性物品の表面又は裏面の法線方向を厚み（厚さ）方向といいその量を厚み（厚さ）という。さらに、吸収性物品ないし吸収体の平面視において相対的に長さのある方向を長手方向といい、この長手方向と直交する方向を幅方向という。なお、前記長手方向は典型的には装着状態において人体の前後方向と一致する。
【００１７】
パンツ型使い捨ておむつ１０において、腹側部Ｆの左右両側部２５，２５と腹側部Ｒの左右両側部２６、２６とが対向してサイドシール部７で接合されている（図１参照）。接合されて形成されるパンツ型使い捨ておむつ１０においては、ウエスト開口部１１の縁がなす面を身丈方向（Ｙ方向）に平行移動して、機能上、ウエスト領域６１、腸骨稜領域６２、胴周領域６３、腿周領域６４に区分することができる（図１参照）。このウエスト領域６１、腸骨稜領域６２、胴周領域６３は、図２の展開平面図では、腹側部Ｆ及び背側部Ｒに対応し、腿周領域６４は、股下部Ｃに対応する。腸骨稜領域６２は、おむつ１０を着用したときに着用者の体の腸骨稜を外装体２が覆う部分の腹側腸骨稜領域とこれと対応する背側の位置に存在する背側腸骨稜領域とからなる領域である。図４及び５を参照して説明すると、腸骨稜領域６２は、人体について上前腸骨棘（きょく）９１から腸骨稜９２に亘る部分を包含する範囲に相当する（図４参照）。さらに詳しくいうと、腸骨稜領域６２は、腸骨が張り出した体の部分９７を含め、腸骨稜頂点９２ａを通る腰周り方向（Ｘ方向）の線を上部境界線とし、上前腸骨棘９１を通る腰周り方向の線を下部境界線としたときの幅９５を包含する範囲に相当する（図５参照）。ウエスト領域６１は腸骨稜領域６２上端よりウエスト開口部１１まで至る領域であり、ウエスト開口部１１の近傍の縁部のウエスト弾性部材を配している領域及びウエスト弾性部材を配していない領域を含む。
【００１８】
外装体２の内層シート２１及び外層シート２２の間には、腹側部Ｆの左右両側の腸骨稜領域よりも上方の位置（ウエスト領域６１）から腸骨稜領域６２を通って吸収性本体３に至り該吸収性本体３の長手方向に沿って配される前側弾性部材８１及び８２と、背側部Ｒの左右両側から吸収性本体３に至り該吸収性本体３の長手方向に沿って配される後側弾性部材８３及び８４とがそれぞれ複数本（図中では３本ずつ）伸長状態で挟持・固定されている。そして、腹側部Ｆの側縁部２５及び背側部Ｒの側縁部２６において、前側弾性部材８１及び８２の端部８１ａ及び８２ａと後側弾性部材８３及び８４の端部８３ａ及び８４ａとが対抗して連接されるように前記サイドシール部７で接合されている。さらに、股下部Ｃにおける前側弾性部材８１及び８２並びに後側弾性部材８３及び８４は、吸収性本体３における中央吸収体３１の側縁外方の位置で該吸収性本体３の長手方向に沿って配置される部分を有する。
【００１９】
本発明において前側弾性部材と後側弾性部材とが「連接される」とは、中央吸収体３１を引き上げるよう前側弾性部材と後側弾性部材とが機能的に連動する配置を広く含み、本実施形態のようにサイドシーム部７内で内層シート２１を介して間接的に重なったり交差したりする配置に限らず、例えば、サイドシーム部７の身丈方向（Ｙ方向）において接することなくほぼ同じ高さとなる配置、サイドシーム部７以外で直接接合される配置などを含む意味である。「長手方向に沿って配置される部分」とは、吸収性本体３の側縁と略平行になって配置される部分をいい、例えば、途中に蛇行するような曲線部分があってもその部分全体の配置が概ね吸収性本体３の長手方向と略平行になっているものを含む意味である。また、前側弾性部材と後半弾性部材とは、直接接合されていてもよく、１つの連続した弾性部材を用いるものであってもよい。
【００２０】
この点について図２の展開図を参照して説明する。図２の展開図に向かって腹側部Ｆの左側の部分においては、ウエスト領域６１にある始点７１から腸骨稜領域６２を通り同じ左側の吸収性本体３の側方領域３７に至るようにして前側弾性部材８１が配設されている。一方、背側部Ｒの左側の部分においては、側部２６のウエスト領域６１にある始点７３から下って、腸骨稜領域６２を通り同じ左側の吸収性本体３の側方領域３７に至るようにして後側弾性部材８３が配設されている。そして、腹側部Ｆの側縁部２５と背側部Ｒの側縁部２６とをサイドシール部７で接合すると、前側弾性部材８１の端部８１ａと後側弾性部材８３の端部８３ａとは、サイドシール部７内で実質的に対向して接合されている。図２の展開図における向って右側においても同様に、腹側部Ｆの始点７２から腸骨稜領域６２を通って吸収性本体３に至る前側弾性部材８２と、背側部Ｒの始点７４から腸骨稜領域６２を通って吸収性本体３に至る後側弾性部材８４が配されており、前側弾性部材８２の端部８２ａと後側弾性部材８４の端部８４ａとは、サイドシール部７内で実質的に対向して接合されている。
吸収性本体３の側方領域３７においては、前側弾性部材８１及び後側弾性部材８３の股下側の端部がおむつの中心線ＣＬよりも腹側部Ｆ寄りの股下部Ｃで交差し連接されている（以下、交差部８７という。）。同様に、前側弾性部材８２及び後側弾性部材８４の股下側の端部がおむつの中心線ＣＬよりも腹側部Ｆ寄りの股下部Ｃで連接あるいは交差されている（以下、交差部８７という。）。さらに、前側弾性部材８１及び８２が側方領域３７で吸収性本体３の長手方向に沿う長さｍ１を有し、後側弾性部材８３及び８４が側方領域３７で吸収性本体３の長手方向に沿う長さｍ２を有する。このようにして、腸骨稜領域６２よりも上方から吸収性本体３まで繋ぐ環状弾性帯９０が、おむつ１０の左右両側のそれぞれにおいて形成される（図６参照）。
【００２１】
この環状弾性帯９０は吸収性本体３の側方領域３７を長手方向で下支えするので、おむつ１０の装着時に中央吸収体３１の形状が保持された状態で引き上げられる。これにより中央吸収体３１と体と間に隙間が生じにくくなり、中央吸収体３１が着用者の股下にしっかりとフィットして液の横漏れ防止効果が高まる。特に、後側弾性部材８３及び８４が股下部Ｃの前方から背側部Ｒまでを長手方向に支えるので、着用者の臀部におけるフィット性が高められる。これにより着用者が仰向けや寝返りなど様々な姿勢をとっても、おむつの液漏れが効果的に抑制され得る。加えて、環状弾性帯９０がその肌当接面側にある防漏カフの伸縮性の自由端４１を押し上げるよう作用するので、自由端４１が着用者の体にフィットし易くポケットｐによる防漏効果も向上し得る。また、おむつを引き上げる手の力がサイドシール部７で環状弾性帯９０に伝わりやすく、その力で環状弾性帯９０が股下部Ｃの吸収性本体３の側方領域３７を長手方向に支えてそのままの形で引き上げ得る。その結果、大腿部の内側での吸収性本体３の捲れが抑えられ、吸収性本体３内部の中央吸収体３１が股下にぴったりと当接し易くなり、装着操作性（はかせやすさ等）が向上する。
さらに、おむつ１０の装着後においては、この環状弾性帯９０は、腸骨稜領域６２、特に腸骨が張り出した部分９７が支えとなって股下部Ｃの吸収性本体３を引き上げるように作用する。これにより、排泄物の量や尿とりパッドの重さに係らず、おむつのずれ落ちが効果的に防止され得る。
以上のおむつ１０の作用は、おむつが着用者の体を締め付けることによるのではなく着用者の体型を利用した弾性部材による吊り上げによって奏されるものである。そのため本実施形態のおむつ１０においては、同時に締め付けによる不快感が軽減され得る。
【００２２】
環状弾性帯９０となる前側弾性部材８１及び８２は、着用者の鼠経部よりも上方の下腹部あたりを通るので（図６（ａ）参照）、鼠経部等の足回りの可動性が制限されない。さらに前述のとおり環状弾性帯９０によって液の横漏れの防止効果が向上することから、その幅方向外方のレッグ弾性部材５３による装着圧を軽減して、着用者の足回りの可動性をさらに高めることも可能となる。このように、前側弾性部材８１及び後側弾性部材８３並びに前側弾性部材８２及び後側弾性部材８４がなす２つの環状弾性帯９０によって、ズレ落ちの防止、液の横漏れの防止、装着操作性の向上、着用者の足回りの可動性の向上が奏され、おむつ全体の良好な装着感が得られる。
【００２３】
次に図６を参照して、おむつ１０における前側弾性部材８１及び８２と後側弾性部材８３及び８４とが腸骨稜領域６２を通るように配さることによる作用機序について説明する。図６は本実施形態のパンツ型おむつを着用した着用者の状態を模式的に示した説明図であり、（ａ）はその正面図であり、（ｂ）は左側面図である。身体の形状はモデル化した外形部分と身体の位置を説明するために腸骨を模式的に示した。
まず、通常の使い捨ておむつに代表されるこの種の吸収性物品は、吸収体において尿などの排泄物が吸収されることによりその重量が増え、その重量は股下方向への力となりおむつ全体が股下方向に移動しやすくなってしまう。特に成人用おむつは、排泄される量も多く、股下方向に働く力Ｐ１は幼児用に比べてはるかに強い。かかる股下方向への力Ｐ１に対し胴回り方向に配された弾性部材を強化すると、同時に胴回りへの締め付け力Ｐ３も強くなり、使用者の体型によっては使用の初期から胴回りへの圧迫感が感じられることもある。またこの胴回り方向の弾性部材の締め付けを強化してしまうと、その締め付け圧でウエスト開口部付近が次第に絞り込まれて腹回りが細くなる部位まで該ウエスト開口部付近がずれ下がってきてしまうことがある。特にお腹回りの大きい乳幼児や高齢者が装着する場合、そのお腹回りのふくらみに対して、ウエスト開口部付近の締め付けを強化することは逆にずれ落ち大きくしてしまいかねず好ましくない。
【００２４】
これに対し、本実施形態のパンツ型おむつ１０は前側弾性部材８１及び８２と後側弾性部材８３及び８４とが腸骨稜領域６２，６２を通るように配されて、２つの環状弾性帯９０，９０が形成されている。この配置において、環状弾性帯９０は腸骨が張り出した体の部分９７の腸骨稜９２に引っかかって固定された状態となる。このような形態のおむつに多量の排泄がなされ上述したような股下方向への力Ｐ１がかかったとしても、環状弾性帯９０は腸骨稜９２（特に腸骨が張り出した部分９７）に引っかかり固定される。そして、股下部Ｃにおいては前側弾性部材８１及び８２並びに後側弾性部材８３及び８４の弾性力によって吸収性本体３の側方領域３７を上方へ引き上げる力Ｐ２を発生させる。この吸収性本体３の側方領域３７を上方へ引き上げる力Ｐ２は胴回りへの締め付け力Ｐ３とは独立した力であるため、胴回りへの圧迫感を与えることなく、おむつ全体のずれ落ちや身体と吸収性本体３との隙間の発生が抑えられる。このおむつ全体のずれ落ちや身体と吸収性本体３との隙間の発生を抑える作用をより効果的とする観点から、前側弾性部材８１及び８２の始点７１及び７２をウエスト領域６１内のウエスト弾性部材が配されていない領域においてウエスト弾性部材と離間して配設することが、ウエスト弾性部材によるウエスト開口部付近の締め付け力と吸収性本体３を引き上げる力が独立した力となり、より好ましい。
【００２５】
特におむつ１０の股下部Ｃにおいては、着用者の大腿部からの幅方向内方への力や前後方向への力などにより複雑に変形し易い。おむつ１０は、このような力に対しても十分に対応して中央吸収体３１を着用者の体にフィットさせることができる。この点について図７を参照して説明する。
図７はおむつ１０の股下部分を背側のやや左斜めより模式的に示した説明図である。本名発明の作用の理解のため、外装体２、中央吸収体３１及び環状弾性帯９０（前側弾性部材８１と後側弾性部材８３）の一部を模式的に示し、他の部材を省略した。図７では、おむつ１０を着用したときの形状である横断主曲率面２５と縦断主曲率面２６を有する鞍面として模式的かつ部分的に示した。鞍面の形状は、横断主曲率面２５は負（Ｄ）の方向に曲率半径の中心を有する凸面とすれば、縦断主曲率面２６は正（Ｕ）の曲率半径の中心を有する凹面としてみることができる。図７では、右足、左足のための足回り開口部をなす端縁１１（すそ回り）が形成される。端部１１（すそ回り）を繋ぐ方向には横断主曲率面２５があり、典型的には股下部分に矢印ｆ１の力がかかり横断主曲率面２５の曲率が大きくなろうとし、反対におむつの前後端を結ぶ方向には縦断主曲率２６があり、典型的には股下部分に矢印ｆ２の力がかかり縦断主曲率２６の曲率が小さくなろうとする背反する力が働く。この矢印ｆ１とｆ２との背反する力作用で、中央吸収体３１が股下部Ｃあるいは臀部近傍の背側部で体から離れようとし、その結果おむつ１０と体との間に隙間が生じ易い。
【００２６】
これに対しおむつ１０では、中央吸収体３１の側方を環状弾性帯９０が上方の腸骨稜領域６２側から引き上げようと作用する。例えば、おむつ１０の左側の環状弾性帯９０において、股下から背側の臀部付近に長手方向に配され後側弾性部材８３は矢印Ｕ方向に力が働く。この力の作用により股下部では、中央吸収体３は矢印Ｖ１の方向に引き上げられ着用者の股下に当接しようとする。つまり、後側弾性部材８３の力が股下の鞍面形状における矢印ｆ１を相殺しようとする。また臀部付近では、中央吸収体３は矢印Ｖ２の方向に働き着用者の臀部に当接しようとする。つまり、後側弾性部材８３の力が股下の鞍面形状における矢印ｆ２を相殺しようとする。同様に、下腹部に配される前側弾性部材８１も矢印Ｕ方向に力が働き、中央吸収体３は矢印Ｖ３の方向に働き着用者の臀部に当接しようとする。以上のとおり、環状弾性帯９０における後側弾性部材８３及び前側弾性部材８１の作用により、吸収性本体３の側方領域３７が体に近づいて隙間が解消され、これにあわせて中央吸収体３１の側縁が体にフィットし易くなる。このことは、おむつ１０の右側の後側弾性部材８４及び前側弾性部材８２においても同様の作用が生じ得る。これによりおむつ１０の股下及び背側における液漏れが効果的に抑制され得る。
【００２７】
またおむつ１０の着用時において、前側弾性部材８１及び８２並びに後側弾性部材８３及び８４が中央吸収体３１を上方へ引き上げる力Ｐ２によって、股下の中央吸収体３１の側縁外方が長手方向に支えられてそのまま引き上げられる。これにより、中央吸収体３１は、着用者の太腿に擦れて捲れることなく体に密着させられ、おむつのはき上げが容易となる。したがって、本実施形態のパンツ型おむつ１０は着用時においては吸収体側部が容易に体にフィットし、かつ、着用者の胴回りを強く締め付けなくても排泄された液による股下方向への力Ｐ１にも好適に対応して、良好な身体への追従性と漏れ防止性を実現することができるという優れた作用効果を奏する。
【００２８】
本実施形態において、前側弾性部材８１及び８２、後側弾性部材８３及び８４は、それぞれ３本ずつ配されているが、その本数は吸収体の引き上げ及びフィット性と着用者への締め付けの程度を勘案して適宜決めることができる。また、前記の前側弾性部材８１及び８２並びに後側弾性部材８３及び８４の引き上げ強さは、弾性部材の素材、太さ、配置間隔とその弾性部材の伸長倍率の設定により決まる収縮力として調整することができる。
【００２９】
前側弾性部材８１及び８２、後側弾性部材８３及び８４の材料としては、吸収性物品に用いられる通常の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００３０】
前側弾性部材８１及び８２、後側弾性部材８３及び８４の伸長倍率としては自然状態（非伸長状態）の１．２〜２．４倍に伸長した状態で該吸収性物品に配することが、引上げ強さが十分に得られ、かつ収縮が適度で外観が良好であるとともに装着し易いので好ましく、１．４〜１．８倍で配することが同様の観点から特に好ましい。また、排泄物の量や尿とりパッドの重さが加わってもおむつのずれ落ちを防止し、吸収性本体と身体をフィットさせる観点から、該弾性部材の収縮力は２０％伸長時に０．０５〜１．０Ｎであるのが好ましく、０．１〜１．５Ｎが特に好ましい。なお、ここで「２０％伸長」とは、非伸長状態から１．２倍に伸長することを意味する。
【００３１】
弾性部材の伸長倍率は次のように測定される。パンツ型おむつを展開、伸長状態とし、その状態で該弾性部材の長さ（Ｌ１）を測定する。このＬ１の測定には画像データとして取り込んで画像解析から求めてもよいし、伸長しない紐状のものを該弾性部材に沿わせその紐の長さを測定してもよい。その後、パンツ型おむつから該弾性部材を取り出し、自然状態の弾性部材の長さ（Ｌ０）を測定する。このＬ１とＬ０とから下記の式１で伸長倍率を算出する。
伸長倍率＝Ｌ１／Ｌ０              （式１）
【００３２】
また、弾性部材の収縮力は次のように測定される。弾性部材を狭持・固定しているシートごと略短冊状になるように切り出して試料を作製する。弾性部材が複数本配されている場合は、全ての弾性部材が含まれるように試料を切り出す。その試料の自然状態の長さを勘案したチャック間距離（Ｌ０）で自然状態の試料を引張試験機に取り付ける。その後、引張速度３００ｍｍ／分にて試料を引き伸ばし、チャック間距離がＬ０×１．２となった時に試料に負荷された力を測定し収縮力とする。
【００３３】
前述の通り、このような伸長倍率と収縮力は弾性部材の素材、太さ、配置間隔により適宜設定することができるが、収縮力の発現と取り扱いの容易さの観点から、ポリウレタン素材からなるマルチフィラメントの糸状のものを用いることが好ましい。その太さは６２０〜１８８０ｄｔｅｘが好ましく、９４０〜１２４０ｄｔｅｘが特に好ましい。その際の前側弾性部材８１及び８２と後側弾性部材８３及び８４の本数はそれぞれ２〜５本が好ましく、その間隔は２〜１０ｍｍが好ましい。
【００３４】
前側弾性部材８１及び８２と後側弾性部材８３及び８４の収縮力は、上述の範囲内で同じとなるように設定してもよいし、異なる設定としてもよいが、後側弾性部材８３及び８４が股下部Ｃで吸収性本体３の長手方向に沿う長さ（ｍ２）は前側弾性部材８１及び８２が股下部Ｃで吸収性本体３の長手方向に沿う長さ（ｍ１）より長く（ｍ１、ｍ２については後述する）、後側弾性部材８３及び８４が股下部Ｃの腹側部よりにまで至り、股下部Ｃにおける吸収性本体３の身体へのフィット性を高め、モレを防止する観点から、典型的には後側弾性部材８３及び８４の収縮力が前側弾性部材８１及び８２の収縮力より高い方が望ましい。一方、使用者、使用場面などの特性によって前側弾性部材８１及び８２と後側弾性部材８３及び８４の収縮力を変えても良く、例えば、男性用であれば前側弾性部材の収縮力をより強くしたり、女性用であれば後側弾性部材の収縮力をより強くしてもよい。
【００３５】
環状弾性帯９０が腸骨稜領域６２の張り出しを利用して股下の吸収体を効果的に引き上げるために、前側弾性部材８１及び８２の始点７１及び７２は、サイドシール部７の身丈方向の長さに対してウエスト開口部１１から１０〜４５％、特に１５〜４０％の範囲にあるのが好ましい。同様に、後側弾性部材８３及び８４の始点７３及び７４は、サイドシール部７の身丈方向の長さに対してウエスト開口部１１から１０〜４５％、特に１５〜４０％の範囲にあるのが好ましい。
環状弾性帯９０が股下部Ｃの中央吸収体３１の形状を保持しつつその側部を効果的に支えるために、前側弾性部材８１及び８２が股下部Ｃで吸収性本体３の長手方向に沿う長さ（ｍ１）は、吸収性本体３の全体の長さ（ｍ０）に対する比（ｍ１／ｍ０）として０．１０〜０．３５が好ましく、０．１８〜０．３２がさらに好ましい。後側弾性部材８３及び８４が股下部Ｃで吸収性本体３の長手方向に沿う長さ（ｍ２）は、吸収性本体３の全体の長さ（ｍ０）に対する比（ｍ２／ｍ０）として０．１７〜０．６５が好ましく、０．３０〜０．５８がさらに好ましい。同様に、前側弾性部材と後側弾性部材とが股下部Ｃにおいて交差する交差部８７の中心と吸収性本体３の長手方向中心線ＣＬとの距離（ｍ３）は、吸収性本体３の全体の長さ（ｍ０）に対する比（ｍ３／ｍ０）として０．０５〜０．２５が好ましく、０．１０〜０．２０がさらに好ましい。
【００３６】
次に、本発明の第２実施形態としての使い捨ておむつ２０について、図８を参照し、主として第１実施形態との相違点について説明する。図８は第２実施形態としての使い捨ておむつを模式的に示した展開平面図である。
【００３７】
第２実施形態においては、図８に示すように、吸収性本体３における吸収体が幅方向において３つ配されており、平面視において中央に位置する中央吸収体３１とその側方に位置する側部吸収体３４，３４とに区画されている。本実施形態において前側弾性部材８１及び８２と後側弾性部材８３及び８４とは、中央吸収体３３の側部に配され、かつ、側部吸収体３４，３４の非肌当接面側に配されている。このようにすることで、側部吸収体３４，３４は前側弾性部材８１及び８２と後側弾性部材８３及び８４とに押し上げられ、身体側に立ち上がる形状となる。そのため、防漏カフの伸縮性の自由端４１が着用者の体にフィットして形成されるポケットｐ内においても液吸収保持機能を有する側部吸収体３４、３４が存在し、おむつ１０の横漏れ防止効果が更に高まる。特に、尿とりパッド等をおむつ１０内に重ねて使用した場合、尿とりパッドが吸収保持できずに溢れた液を側部吸収体が吸収保持することができるので、その横漏れ防止効果がより一層高まる。
【００３８】
本実施形態における表面シート３２は、排泄された体液を速やかに吸収し、吸収体に伝達する観点と肌触りのよさの観点とから親水性のサーマルボンド不織布が好ましく、特にエアスルー不織布が好ましい。表面シート３１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００３９】
裏面シート３３としては、防水性があり透湿性を有していれば特に限定されないが、例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。
【００４０】
外装体２における外層シート２２、内層シート２１の材料は、この種の物品に一般的に用いられるものを好適に使用することができる。外層シート２２としては、例えばエアスルー不織布、ヒートロール不織布、スパンレース不織布、スパンボンド不織布、メルトブローン不織布等の各種製法による不織布、織布、編布、樹脂フィルム等が挙げられ、これらを積層一体化させてなるシート材等を用いることができる。内層シート２１も外層シート２２と同様のシート材等を用いることができる。また、外層シート２２、内層シート２１は、いずれか一方もしくは両方が伸縮性を有するシート材で構成されていてもよい。伸縮性を有するシートとしては、２枚のシート材の間に伸縮性を有するフィルムを挟み込んだシートやポリウレタン等の伸縮性を有するエラストマー繊維から構成された不織布等が挙げられる。いずれの場合も外層シート２２、内層シート２１からなる外装体２は液不透過性を有していた方が防漏性の観点から好ましく、通気性及び水蒸気の透過性を有していた方が、おむつ１０内の過度の湿度の上昇を防ぐために好ましい。また、内層シート２１は１枚であっても複数のシートを組み合わせたものであってもよい。
【００４１】
中央吸収体３１は、フラッフパルプと高吸収性ポリマー粒子との混合物、または、フラッフパルプと高吸収性ポリマー粒子と熱可塑性合成樹脂繊維との混合物、または、複数の繊維シートの間に高吸収性ポリマー粒子が挟まれた吸水性シートであり、所要の厚みに圧縮されている。コアは、その型崩れやポリマー粒子の脱落を防ぐため、その全体がティッシュペーパーや親水性繊維不織布等の透液性シートに被覆されていてもよい。ポリマー粒子としては、デンプン系、セルロース系、合成ポリマー系のものを使用することができる。
【００４２】
ウエスト弾性部材や胴回り弾性部材等の前側弾性部材８１及び８２、後側弾性部材８３及び８４以外の各弾性部材の材料としては、前側弾性部材８１及び８２、後側弾性部材８３及び８４と同様に吸収性物品に用いられる通常の弾性材料を用いることができ、それらは前側弾性部材８１及び８２、後側弾性部材８３及び８４と同じでもよいし、異なる素材、太さでもよい。
【００４３】
本発明の吸収性物品は、上記の実施形態の成人用パンツ型使い捨ておむつのほか、乳児用のおむつであってもよく、生理用ショーツ、ショーツ型ナプキンなどのパンツ型の構造を有する吸収性物品一般を含む概念である。また、表面シート３１、及び外装体２の他にも用途や機能に合わせ適宜部材を組み込んでもよい。
【符号の説明】
【００４４】
２  外装体
３  吸収性本体
３１  中央吸収体
３４  側部吸収体
７  サイドシール部
５３  レッグ弾性部材
８１、８２  前側弾性部材
８３、８４  後側弾性部材
１０、２０  パンツ型使い捨ておむつ
６２  腸骨稜領域
【図１】
0005688283.tif 000002
【図２】
0005688283.tif 000003
【図３】
0005688283.tif 000004
【図４】
0005688283.tif 000005
【図５】
0005688283.tif 000006
【図６】
0005688283.tif 000007
【図７】
0005688283.tif 000008
【図８】
0005688283.tif 000009